(57)【要約】  簡潔に述べると、１またはそれ以上の実施例に従って、スリープ・モード中の加入者局は、ベストエフォートのトラフィック遅延条件に違反せずに、スリープ・モード中にトラフィックを送受信することができる。さらに、加入者局は、スリープ・モードに留まることができ、基地局から加入者局におよび／または加入者局から基地局に送信されるべきデータがある場合にのみ適宜起床することができる。常にスリープ・モードを実行し、必要なときに起床する構成によって、加入者局の電力消費量は削減される。
2010521129.tif 000002
【特許請求の範囲】
【請求項１】
データが送信可能である場合に、擬似非アベイラビリティ期間の通知メッセージを送信する段階と、
擬似非アベイラビリティ期間によって、スリープ・モード動作の次の非アベイラビリティ期間中に前記データを送信する段階と、
を含むことを特徴とする方法。
【請求項２】
前記次の非アベイラビリティ期間の長さを決定する段階、および、前記擬似非アベイラビリティ期間の通知メッセージの一部として前記次の非アベイラビリティ期間の長さを送信する段階をさらに含むことを特徴とする請求項１記載の方法。
【請求項３】
擬似非アベイラビリティ期間の通知メッセージを送信する前記段階は、スリープ・モード動作のアベイラビリティ期間中に生じることを特徴とする請求項１記載の方法。
【請求項４】
送信されるべき追加のデータがある場合に、
１またはそれ以上の追加の擬似非アベイラビリティ期間の通知メッセージを送信する段階、および、送信されるべき追加のデータがなくなるまで、前記追加のデータを１またはそれ以上の追加の擬似非アベイラビリティ期間によって送信する段階をさらに含むことを特徴とする請求項１記載の方法。
【請求項５】
前記次の非アベイラビリティ期間の長さを決定する段階と、
前記データを送信するために必要とされる前記擬似非アベイラビリティ期間の長さが前記次の非アベイラビリティ期間の長さより長い場合、
必要とされる前記擬似非アベイラビリティ期間の長さに適応するためにスリープ・サイクルの回数を決定する段階と、
前記決定されたスリープ・サイクルの回数の間、前記擬似非アベイラビリティ期間によって、スリープ・モード動作の次の非アベイラビリティ期間中に前記データを送信する段階を実行する段階と、
をさらに含むことを特徴とする請求項１記載の方法。
【請求項６】
前記擬似非アベイラビリティ期間の通知メッセージは、前記次の擬似非アベイラビリティ期間の間隔が送信されるべき前記データのための前の擬似非アベイラビリティ期間の間隔に少なくとも一部基づいているかどうかの通知を含むことを特徴とする請求項１記載の方法。
【請求項７】
前記データが送信された後に通常のスリープ・モード動作に戻る段階をさらに含むことを特徴とする請求項１記載の方法。
【請求項８】
予め定められた間隔のスリープ・モードに留まる段階をさらに含むことを特徴とする請求項１記載の方法。
【請求項９】
前記擬似非アベイラビリティ期間の通知メッセージは、トラフィック通知メッセージの一部として、メディア・アクセス制御メッセージへのサブヘッダとして、個別のメディア・アクセス制御メッセージとして、一般メディア・アクセス制御ヘッダの一部として、あるいはそれらの組み合わせとして送信されることを特徴とする請求項１記載の方法。
【請求項１０】
前記擬似非アベイラビリティ期間の通知メッセージは、前記次の非アベイラビリティ期間の長さを計算するための計算方法を特定し、前記計算方法は、
前記次の非アベイラビリティ期間の長さを前記現在の非アベイラビリティ期間の長さに設定する段階、
後続のトラフィックが不存在のときに前記非アベイラビリティ期間の長さを連続的に増加する数式に少なくとも部分的に基づいて前記次の非アベイラビリティ期間の長さを計算する段階、
前記次の非アベイラビリティ期間の長さを前記現在の非アベイラビリティ期間の長さの一部に設定する段階、
既存のトラフィック・クラス、期待されるトラフィック・クラス、またはそれらの組み合わせに少なくとも部分的に基づいて前記次の非アベイラビリティ期間の長さを設定する段階、または
前記現在の非アベイラビリティ期間の長さと無関係の前記次の非アベイラビリティ期間の長さを設定する段階、
あるいはそれらの組み合わせからなる段階、
を含むことを特徴とする請求項１記載の方法。
【請求項１１】
その上に命令を格納する記憶媒体を含む製造物品において、命令が実行されたとき、前記命令は、  
データが送信可能である場合に、擬似非アベイラビリティ期間の通知メッセージを送信する段階と、
擬似非アベイラビリティ期間によって、スリープ・モード動作の次の非アベイラビリティ期間中に前記データを送信する段階と、
を実行することを特徴とする製造物品。
【請求項１２】
命令が実行されたとき、前記命令は、前記次の非アベイラビリティ期間の長さを決定する段階、および、前記擬似非アベイラビリティ期間の通知メッセージの一部として前記次の非アベイラビリティ期間の長さを送信する段階をさらに実行することを特徴とする請求項１１記載の製造物品。
【請求項１３】
擬似非アベイラビリティ期間の通知メッセージを送信する前記段階は、スリープ・モード動作のアベイラビリティ期間中に生じることを特徴とする請求項１１記載の製造物品。
【請求項１４】
命令が実行されたとき、前記命令は、送信されるべき追加のデータがある場合に、
１またはそれ以上の追加の擬似非アベイラビリティ期間の通知メッセージを送信する段階、および、送信されるべき追加のデータがなくなるまで、前記追加のデータを１またはそれ以上の追加の擬似非アベイラビリティ期間によって送信する段階をさらに実行することを特徴とする請求項１１記載の製造物品。
【請求項１５】
命令が実行されたとき、前記命令は、  
前記次の非アベイラビリティ期間の長さを決定する段階と、
前記データを送信するために必要とされる前記擬似非アベイラビリティ期間の長さが前記次の非アベイラビリティ期間の長さより長い場合、
必要とされる前記擬似非アベイラビリティ期間の長さに適応するためにスリープ・サイクルの回数を決定する段階と、
前記決定されたスリープ・サイクルの回数の間、前記擬似非アベイラビリティ期間によって、スリープ・モード動作の次の非アベイラビリティ期間中に前記データを送信する段階を実行する段階と、
さらに実行することを特徴とする請求項１１記載の製造物品。
【請求項１６】
前記擬似非アベイラビリティ期間の通知メッセージは、前記次の擬似非アベイラビリティ期間の間隔が送信されるべき前記データのための前の擬似非アベイラビリティ期間の間隔に少なくとも一部基づいているかどうかの通知を含むことを特徴とする請求項１１記載の製造物品。
【請求項１７】
命令が実行されたとき、前記命令は、前記データが送信された後に通常のスリープ・モード動作に戻る段階をさらに実行することを特徴とする請求項１１記載の製造物品。
【請求項１８】
命令が実行されたとき、前記命令は、予め定められた間隔のスリープ・モードに留まる段階をさらに実行することを特徴とする請求項１１記載の製造物品。
【請求項１９】
前記擬似非アベイラビリティ期間の通知メッセージは、トラフィック通知メッセージの一部として、メディア・アクセス制御メッセージへのサブヘッダとして、個別のメディア・アクセス制御メッセージとして、一般メディア・アクセス制御ヘッダの一部として、あるいはそれらの組み合わせとして送信されることを特徴とする請求項１１記載の製造物品。
【請求項２０】
前記擬似非アベイラビリティ期間の通知メッセージは、前記次の非アベイラビリティ期間の長さを計算するために計算方法を特定し、前記計算方法は、
前記次の非アベイラビリティ期間の前記長さを前記現在の非アベイラビリティ期間の長さに設定する段階、
後続のトラフィックが不存在のときに前記非アベイラビリティ期間の長さを連続的に増加する数式に少なくとも部分的に基づいて前記次の非アベイラビリティ期間の長さを計算する段階、
前記次の非アベイラビリティ期間の長さを前記現在の非アベイラビリティ期間の長さの一部に設定する段階、
既存のトラフィック・クラス、期待されるトラフィック・クラス、またはそれらの組み合わせに少なくとも部分的に基づいて前記次の非アベイラビリティ期間の長さを設定する段階、または
前記現在の非アベイラビリティ期間の長さと無関係の前記次の非アベイラビリティ期間の長さを設定する段階、
あるいはそれらの組み合わせからなる段階、
を含むことを特徴とする請求項１１記載の製造物品。
【請求項２１】
プロセッサと、
前記プロセッサに結合されたメモリから構成される装置であって、前記メモリはその中に格納された命令を有し、命令が実行された場合に、前記命令は、前記プロセッサが、
データが送信可能である場合に、擬似非アベイラビリティ期間の通知メッセージを送信し、
擬似非アベイラビリティ期間によって、スリープ・モード動作の次の非アベイラビリティ期間中に前記データを送信する、
ために構成することを特徴とする装置。
【請求項２２】
命令が実行されたとき、前記命令は、前記プロセッサが前記次の非アベイラビリティ期間の長さを決定し、および、前記擬似非アベイラビリティ期間の通知メッセージの一部として前記次の非アベイラビリティ期間の長さを送信するために構成することを特徴とする請求項２１記載の装置。
【請求項２３】
命令が実行されたとき、前記命令は、送信されるべき追加のデータがある場合に、前記プロセッサが、
１またはそれ以上の追加の擬似非アベイラビリティ期間の通知メッセージを送信する段階、および、送信されるべき追加のデータがなくなるまで、前記追加のデータを１またはそれ以上の追加の擬似非アベイラビリティ期間によって送信するために構成することを特徴とする請求項２１記載の装置。
【請求項２４】
命令が実行されたとき、前記命令は、前記プロセッサが、
前記次の非アベイラビリティ期間の長さを決定し、
前記データを送信するために必要とされる前記擬似非アベイラビリティ期間の長さが前記次の非アベイラビリティ期間の長さより長い場合、
必要とされる前記擬似非アベイラビリティ期間の長さに適応するためにスリープ・サイクルの回数を決定し、
前記決定されたスリープ・サイクルの回数の間、前記擬似非アベイラビリティ期間によって、スリープ・モード動作の次の非アベイラビリティ期間中に前記データを送信する段階を実行する、
ために構成することを特徴とする請求項２１記載の装置。
【請求項２５】
前記擬似非アベイラビリティ期間の通知メッセージは、トラフィック通知メッセージの一部として、メディア・アクセス制御メッセージへのサブヘッダとして、個別のメディア・アクセス制御メッセージとして、一般メディア・アクセス制御ヘッダの部分として、あるいはそれらの組み合わせとして送信されることを特徴とする請求項２１記載の装置。
【請求項２６】
データが送信可能である場合に、擬似非アベイラビリティ期間の通知メッセージを送信する手段と、
擬似非アベイラビリティ期間によって、スリープ・モード動作の次の非アベイラビリティ期間中に前記データを送信する手段と、
を含むことを特徴とする装置。
【請求項２７】
前記次の非アベイラビリティ期間の長さを決定する手段と、
前記擬似非アベイラビリティ期間の通知メッセージの一部として前記次の非アベイラビリティ期間の長さを送信する手段と、
をさらに含むことを特徴とする請求項２６記載の装置。
【請求項２８】
送信されるべき追加のデータがある場合に、１またはそれ以上の追加の擬似非アベイラビリティ期間の通知メッセージを送信する手段と、
送信されるべき追加のデータがなくなるまで、前記追加のデータを１またはそれ以上の追加の擬似非アベイラビリティ期間によって送信する手段と、
をさらに含むことを特徴とする請求項２６記載の装置。
【請求項２９】
前記次の非アベイラビリティ期間の長さを決定する手段と、
前記データを送信するために必要とされる前記擬似非アベイラビリティ期間の長さが前記次の非アベイラビリティ期間の長さより長い場合、必要とされる前記擬似非アベイラビリティ期間の長さに適応するためにスリープ・サイクルの回数を決定する手段と、
前記決定されたスリープ・サイクルの回数の間、前記擬似非アベイラビリティ期間によって、スリープ・モード動作の次の非アベイラビリティ期間中に前記データを送信する段階を実行する手段と、
をさらに含むことを特徴とする請求項２６記載の装置。
【請求項３０】
前記擬似非アベイラビリティ期間の通知メッセージをトラフィック通知メッセージの一部として、メディア・アクセス制御メッセージへのサブヘッダとして、個別のメディア・アクセス制御メッセージとして、一般メディア・アクセス制御ヘッダの一部として、あるいはそれらの組み合わせとして送信する手段をさらに含むことを特徴とする請求項２６記載の装置。
【発明の詳細な説明】
【技術分野】
【０００１】
本発明は、広帯域ネットワーク中のモバイル装置に対するスリープの最適化に関する。
【背景技術】
【０００２】
ワイヤレス・ネットワークでは、スリープ（休止）モードは、ネットワーク内の加入者局による電力消費を削減するために設計される。スリープ・モードにある間、加入者局（ＳＳ）は、アベイラビリティ期間（ＡＩ：ａｖａｉｌａｂｉｌｉｔｙ  ｉｎｔｅｒｖａｌ）と非アベイラビリティ期間（ＵＡＩ：ｕｎａｖａｉｌａｂｉｌｉｔｙ  ｉｎｔｅｒｖａｌ）との間を交互する。非アベイラビリティ期間中に、ＳＳは、その無線インターフェイスの電力を落とす。他方で、アベイラビリティ期間中に、加入者局は、基地局と交信し、データあるいは管理トラフィックを送受信することができる。このように、スリープ・モードにいる間、加入者局は、トラフィックを送受信してもよい。しかしながら、交換することができるトラフィック量、およびそれに関連する遅延は、アベイラビリティ期間の間隔および周波数に依存する。これは、スリープ・モード中の加入者局とアベイラビリティ期間中の基地局だけとの間でトラフィックを交換することができるからである。これは、本質的に周期的である実時間トラフィックに対する問題ではない。ボイス・オーバ・インターネット・プロトコル（ＶｏＩＰ）のトラフィックのような実時間トラフィックについては、トラフィックは、Ｔ秒毎に一度到着する。さらにＴ秒毎のトラフィックの量は、ほぼ一定である。したがって、スリープ・モード中の加入者局は、そのアベイラビリティ期間をそのトラフィックの到着時に整列させることにより容易にそのようなトラフィックを送受信することができる。さらに、そのトラフィック長がほぼ一定であるので、アベイラビリティ期間の間隔は、予期されたトラフィック量の転送を可能にするために選択される。
【０００３】
他方で、スリープ・モード中のベストエフォート（ＢＥ）トラフィックのサポートが問題となる。２つのパラメータがそのようなトラフィック、すなわち、ＢＥトラフィックのトラヒック負荷（ＴＬ）および遅延条件（ＤＲ）を特徴づけるために定義される。これらの２つのパラメータに基づいて、ＢＥトラフィックは、概略次の４つのグループに分類することができる。
【０００４】
クラスＡ：低ＴＬおよび厳格でないＤＲを備えたＢＥトラフィック
クラスＢ：低ＴＬおよび厳格なＤＲを備えたＢＥトラフィック
クラスＣ：高ＴＬおよび厳格でないＤＲを備えたＢＥトラフィック
クラスＤ：高ＴＬおよび厳格なＤＲを備えたＢＥトラフィック
スリープ・モード中の加入者局は、ＡＩ期間を使用して、クラスＡのＢＥトラフィックを送受信することができる。しかしながら、加入者局は、ＡＩ期間を使用して、他のＢＥトラフィック・クラスを送受信することができない。このように、次の２つの問題がスリープ・モード中のより高いトラヒック負荷および／または厳格な遅延条件を備えるベスト・エフォート・トラフィックをサポートするために検討される。
【０００５】
ＢＥトラフィック（クラスＢおよびＤ）のレイテンシは、できるだけ低くしておくべきである。したがって、ＡＩ中にデータのみを送信するために待機することは、特にそのＡＩ間隔が短い場合、理想的ではない。基地局がＸのデータ量をスリープ・モード中の加入者局へ送らなければならないシナリオでは、基地局は、加入者局の次のＡＩまで待ち、その次のＡＩ期間中に基地局はＡＩ期間の間隔で許されるＹ（＜Ｘ）のデータ量だけを送ることができ、残りのデータ量（Ｘ−Ｙ）を送信するために別のＡＩまで待機する。これは、合計Ｘのデータ量を送信する際の遅延を増加させる。ＵＡＩの間隔が長い場合、このような遅延はより長くなる。
【０００６】
加入者局がスリープ・モードにある場合、基地局および／または加入者局でのバッファされたＢＥトラフィック量の無制約な増加が回避されるであろう。このように、スリープ・モードは、加入者局がそのＡＩ期間中にあらゆるトラフィック量を送受信するために選択可能な仕組みをサポートする。そのようなオプションを使用して、スリープ・モード中の加入者局は、そのスリープ・モード動作を終了せずに、トラフィックを送受信することができた。結果として、スリープ・モードの繰り返されたトリガー／終了に関連したオーバーヘッドを削減することができ、加入者局での一層の省電力を増進することができるであろう。スリープ・モード中の加入者局は、トラフィックを送受信するためにそのスリープ・モードを終了するオプションを保持することができるであろう。
【図面の簡単な説明】
【０００７】
請求項に記載された主題が特に指摘され、本明細書の後半部において明確に要求される。しかしながら、このような主題は、添付の図面とともに読まれると、以下の詳細な説明への言及によって理解されるであろう。
【図１】１またはそれ以上の実施例に従うワイヤレス・ネットワークのブロック図である。
【図２】１またはそれ以上の実施例に従って、加入者局がスリープ・モード中にトラフィックを送受信することのできる擬似非アベイラビリティ期間の利用を示す時間スケジュールのダイアグラムである。
【図３】１またはそれ以上の実施例に従って、擬似非アベイラビリティ期間に基地局とスリープ・モード中の加入者局との間で情報を転送する方法のフローチャートである。
【図４】１またはそれ以上の実施例に従って、転送される大量のデータを提供するための擬似非アベイラビリティ期間が次の非アベイラビリティ期間より長い場合、スリープ・モード中に擬似非アベイラビリティ期間で基地局と加入者局との間で情報を転送する方法のフローチャートである。
【図５】１またはそれ以上の実施例に従って、ワイヤレス・ネットワークにおけるスリープ・モード動作を最適化することができる情報処理システムのブロック図である。  図示の単純化および／または明瞭化のために、図中で示される要素は、必ずしも実寸通りに描かれていないが理解されるであろう。例えば、要素のいくつかの寸法は、明瞭化のために他の要素に比べて誇張されることがある。さらに、もし適切であると考えられる場合、参照数字は、対応および／または類似要素を示すために、図面間で反復されるであろう。
【発明を実施するための形態】
【０００８】
以下の詳細な説明では、多くの特定の詳細事項が、請求項に記載された主題についての完全な理解を提供するために説明されている。しかしながら、請求項に記載された主題は、これらの特定の詳細事項がなくても実施できることが当業者には理解されるであろう。例えば、周知の方法、手順、要素および／または回路は、詳細には記述されていない。
【０００９】
以下の説明および／または請求項において、用語「結合された」および／または「接続された」が、派生語とともに使用される。特定の実施例中において、「接続された」は、２またはそれ以上の要素が互いに直接的な物理的および／または電気的な接触状態にあることを示すために使用される。「結合された」は、２またはそれ以上の要素が互いに直接的な物理的および／または電気的な接触状態にあることを意味する。しかしながら、「結合された」は、さらに２またはそれ以上の要素が互いに直接的ではないが、依然として互いに協動または相互作用している状態を意味することもある。例えば、「結合された」は、２またはそれ以上の要素が互いに接触していないが、他の要素あるいは中間要素によって間接的にともに連絡することを意味することもある。さらに、用語「および／または」は「および」を意味してもよく、それは「または」を意味してもよく、それは「排他的なまたは（ｅｘｃｌｕｓｉｖｅ−ｏｒ）」を意味してもよく、それは「１つ」を意味してもよく、それは「全てではないいくつか」を意味してもよく、それは「どちらでもない（ｎｅｉｔｈｅｒ）」を意味してもよく、それは「両方」を意味してもよいが、請求項に記載された主題の範囲は、この点に制限されることはない。以下の説明および／または請求項において、用語「構成される」および「含む」は、それらの派生語とともに、互いの同義語として、使用され、意図されることがある。
【００１０】
さて、図１を参照して、１またはそれ以上の実施例に従うワイヤレス・ネットワークのブロック図が議論されるであろう。図１に示されるように、ネットワーク１００は、インターネット１１０のタイプのネットワークまたは同種のネットワークからなるインターネット・プロトコル（ＩＰ）タイプ・ネットワークであり、それはモバイルのワイヤレス・アクセスおよび／または固定のワイヤレス・アクセスをインターネット１１０へサポートすることができる。１またはそれ以上の実施例において、ネットワーク１００は、世界規模で相互運用可能なマイクロ波を用いたアクセス（ＷｉＭＡＸ）規格、あるいはＷｉＭＡＸの次世代に準拠するものであるが、１つの特定の実施例に従うならば、アメリカ電気・電子通信学会の８０２．１６ｅ規格（ＩＥＥＥ８０２．１６ｅ）に準拠していてもよい。別の実施例では、ネットワーク１００は、第３世代パートナーシップ・プロジェクトのロング・ターム・エボルージョン（３ＧＰＰ  ＬＴＥ）あるいは３ＧＰＰ２のエア・インターフェイス・エボルージョン（３ＧＰＰ２  ＡＩＥ）規格に準拠していてもよい。一般に、ネットワーク１００は、直交周波数分割多元接続（ＯＦＤＭＡ）をベースとするあらゆるタイプのワイヤレス通信ネットワークを含み、請求項に記載された主題の範囲は、これらの点に関して制限されることはない。モバイル・ワイヤレス・アクセスの例として、アクセス・サービス・ネットワーク（ＡＳＮ）１１２は、基地局（ＢＳ）１１４と結合し、加入者局（ＳＳ）１１６とインターネット１１０との間にワイヤレス通信を提供することができる。加入者局１１６は、ネットワーク１００を経由して、例えばノート・タイプのコンピュータ、携帯電話機、携帯情報端末あるいは同種の装置とワイヤレスで通信することができるモバイル・タイプの装置あるいは情報処理システムを含む。ＡＳＮ１１２は、ネットワーク１００上の１またはそれ以上の物理的なエンティティ（実体）へのネットワーク機能のマッピングを定義することができるプロファイル（実装仕様）を実行する。基地局１１４は、加入者局１１６との無線周波数（ＲＦ）通信を提供するための無線装備を含み、例えばＩＥＥＥ８０２．１６ｅ型の規格に準拠した物理層（ＰＨＹ）およびメディア・アクセス制御（ＭＡＣ）層の装備を含む。基地局１１４は、ＡＳＮ１１２を経由してインターネット１１０に結合するＩＰバックプレーンをさらに含むが、請求項に記載された主題の範囲は、これらの点に関して制限されることはない。
【００１１】
ネットワーク１００は、１またはそれ以上のネットワーク機能を提供する訪問先コネクティビティ・サービス・ネットワーク（ＣＳＮ）１２４を含み、それは、プロキシおよび／またはリレー型の機能、例えば、認証・認可・課金（ＡＡＡ）機能、動的ホスト構成プロトコル（ＤＨＣＰ）機能、またはドメイン・ネーム・サービス制御あるいは同種の機能、公衆交換電話網（ＰＳＴＮ）ゲートウエイ、またはボイス・オーバ・インターネット・プロトコル（ＶｏＩＰ）ゲートウエイ、および／またはインターネット・プロトコル（ＩＰ）タイプ・サーバ機能または同種の機能を含むが、これらに限定されるものではない。しかしながら、これらは、単に訪問先ＣＳＮかホームＣＳＮ１２６によって提供されることのできる機能のタイプ例であり、請求項に記載された主題の範囲は、これらの点に関して制限されることはない。訪問先ＣＳＮ１２４は、本ケースでは訪問先ＣＳＮと呼ばれるが、ここでは例えば訪問先ＣＳＮ１２４は、加入者局１１６の定期的なサービス・プロバイダの一部ではなく、例えば加入者局１１６は、ホームＣＳＮ１２６のようなそのホームＣＳＮからローミングを脱しており、あるいは例えばネットワーク１００は、加入者局の定期的なサービス・プロバイダの一部である場合、そのネットワーク１００は、加入者局１１６のメインかホームの位置でない別の位置あるいは状態である。固定ワイヤレス配置では、ＷｉＭＡＸ型の顧客宅内機器（ＣＰＥ）１２２は、ホームまたはビジネスに位置し、基地局１１４、ＡＳＮ１１２、およびＣＳＮ１２４を経由して加入者局１１６によるアクセスと類似した方法で、基地局１２０、ＡＳＮ１１８およびホームＣＳＮ１２６を介してインターネット１１０へ広帯域アクセスをホームまたはビジネス顧客に提供するが、ＷｉＭＡＸ  ＣＰＥ１２２は、必要であれば別の場所に移動してもよいが、一般に静止した位置に配置されるのに対して、加入者局１１６は、例えば加入者局１１６が基地局１１４のレンジ内にいるなら１またはそれ以上の位置で利用される点で異なる。１またはそれ以上の実施例に従って、動作支援システム（ＯＳＳ）１２８は、ネットワーク１００に管理機能を提供し、かつネットワーク１００の機能的なエンティティ間のインターフェイスを提供するネットワーク１００の一部である。図１のネットワーク１００は、ネットワーク１００のいくつかのコンポーネントを示すワイヤレス・ネットワークの単なる１つの例であるが、しかしながら、請求項に記載された主題の範囲は、これらの点に関して制限されることはない。
【００１２】
さて、図２を参照して、１またはそれ以上の実施例に従って、加入者局がスリープ・モード中にトラフィックを送りまたは受け取る、擬似非アベイラビリティ期間の利用を示すスケジュール・ダイアグラムが議論される。図２に示されるように、スケジュール２００は、図１の加入者局１１６におけるスリープ・モード動作を表わし、そのスケジュール２００に沿って左から右へ時間が進行する。加入者局１１６のスリープ・モードは、加入者局１１６の電力消費量を最小限にし、かつ加入者１１６によって利用されるエアー・インターフェイス資源の使用を減少させる一方で、加入者１１６の通信をネットワーク１００に保持するための省電力メカニズムを定義する。１またはそれ以上の実施例では、このようなスリープ・モードは、ＩＥＥＥ８０２．１６ｅ規格に準拠しており、請求項に記載された主題の範囲は、これらの点に関して制限されることはない。
【００１３】
スリープ・モード中、スケジュール２００は、アベイラビリティ期間２１０、アベイラビリティ期間２１４、アベイラビリティ期間２１８、アベイラビリティ期間２２４などの１またはそれ以上のアベイラビリティ期間（ＡＩ）を含む。同様に、スリープ・モード中、スケジュール２００は、非アベイラビリティ期間２１２、非アベイラビリティ期間２１６、非アベイラビリティ期間２２２、非アベイラビリティ期間２２６などのような非アベイラビリティ期間（ＵＡＩ）を含む。スリープ・モードにおいて、加入者局１１６は、アベイラビリティと非アベイラビリティの期間を交互に替わる。非アベイラビリティ期間中、加入者局１１６は、例えば、その無線インターフェイスの電源を落とし、電力消費を節約して使用する。アベイラビリティ期間中、加入者局１１６は、その無線インターフェイスに電源を入れ、トラフィックの存在を知るために基地局１１４によって送られるトラフィック通知メッセージをリスニングする。スリープ期間中に、加入者局１１６に対するトラフィックの存在あるいは不存在がトラフィック通知メッセージによって示され、１またはそれ以上の実施例では、ＭＯＢ＿ＴＲＦ−ＩＮＤ（モバイル最善型サービス−トラフィック通知）と呼ばれ、アベイラビリティ期間中に加入者局１１６によって受け取られる。１またはそれ以上の実施例では、ＡＩ２１０，ＡＩ２１４，ＡＩ２１８および／またはＡＩ２２４のようなアベイラビリティ期間は一定である。１またはそれ以上の実施例では、ＵＡＩ２１２，ＵＡＩ２１６および／またはＵＡＩ２２２のような非アベイラビリティ期間は、後続の非アベイラビリティ期間に対し最大２倍になる。あるいは、非アベイラビリティ期間が後続の非アベイラビリティ期間で一定であってもよい。１またはそれ以上の実施例では、ＡＩ２１０のような最初のアベイラビリティ期間の間隔は、初期ＵＡＩと表記され、特定時刻における非アベイラビリティ期間の間隔は、次のようによって与えられる。
（１）UAI=min(2*(Previous UAI), Final UAI base*2^(Final UAI exponent)
ここにおいて、Final UAI baseは、最終のＵＡＩベースであり、Final UAI exponentは、最終のＵＡＩ指数である。Final UAI exponent=Initial UAIで、Final UAI exponent=0である場合、ＵＡＩの間隔は、一定である。
【００１４】
１またはそれ以上の実施例において、加入者局１１６がスリープ・モードである場合、加入者局１１６は、非アベイラビリティ期間中、電源が落とされる。アベイラビリティ期間中に、加入者局は、ＭＯＢ＿ＴＲＦ−ＩＮＤのようなトラフィック通知メッセージにリスニングするために電源を入れることにより、起床する。加入者局１１６がトラフィック通知メッセージを受け取ると、加入者局１１６は以下のように応答する。
【００１５】
加入者局１１６のためのトラフィックがないことをトラフィック通知メッセージが示す場合、加入者局１１６は、必要に応じて、トラフィック通知メッセージを受け取った後、スリープに戻り、無線資源の電源を落とす。
【００１６】
加入者局１１６のためのトラフィックがあることをトラフィック通知メッセージが示す場合、加入者局１１６は、現在のアベイラビリティ期間の残余部分中に、通常動作の状態と同一または類似した方法で、基地局１１４からダウンリンク（ＤＬ）送信を受け取る。１またはそれ以上の実施例では、通常動作は、加入者局１１６がスリープ・モードでない状態として定義される。
１またはそれ以上の実施例において、加入者局１１６が肯定的なトラフィック通知メッセージを受け取る場合、非アベイラビリティ期間後のオペレーション加入者局は、ｔｒａｆｆｉｃ＿ｔｒｉｇｇｅｒｅｄ＿ｗａｋｅｎｉｎｇ＿ｆｌａｇ（ＴＴＷ）のようなトラフィック・トリガ・ウェイクニング・フラグ（トラフィック開始起床フラグ）に依存する。１またはそれ以上の実施例では、このようなトラフィック・トリガ・ウェイクニング・フラグは、加入者局１１６がスリープ・モードに入る前に、基地局１１４と加入者局１１６との間で交渉される。
【００１７】
１またはそれ以上の実施例において、トラフィック・トリガ・ウェイクニング・フラグが０（ＴＴＷ＝０）に設定されている場合、加入者局１１６は、肯定的なトラフィック通知を備えるＭＯＢ＿ＴＲＦ−ＩＮＤメッセージを受け取った後にスリープ・モードを非活性（デアクティブ）にはしない。したがって、通常通り、加入者局１１６は、そのスリープ・モードを継続する。このようなオプションによって、加入者局１１６は、加入者局１１６のスリープ・モード動作を中断させずに、アベイラビリティ期間中にトラフィックを受け取ることが可能となる。このオプションによって、加入者局１１６は、スリープ・モードを終了させずに、より軽いトラフィックあるいはより多くの遅延寛容性のあるトラフィックを受け取ることができる。トラフィック・トリガ・ウェイクニング・フラグが０に設定されている場合、加入者局１１６は、アベイラビリティ期間中にトラフィックを受け取ることができる。
【００１８】
１またはそれ以上の実施例では、トラフィック・トリガ・ウェイクニング・フラグが１（ＴＴＷ＝１）に設定されている場合、加入者局１１６は、スリープ・モードを非活性にする。したがって、加入者局１１６のスリープ・モードは終了し、加入者局は、肯定的なトラフィック通知を備えたＭＯＢ＿ＴＲＦ−ＩＮＤメッセージを受け取った後に通常動作モードに入る。
【００１９】
１またはそれ以上の実施例では、加入者局１１６がスリープ・モードを出て通常モードで通信することを要求しないでも、スリープ・モード中に加入者局１１６と基地局１１４との間でトラフィックを通信してもよい。そのような実施例では、加入者局１１６は、図２のＰＵＡＩ２２０のような擬似非アベイラビリティ期間（ＰＵＡＩ）を利用する。図２中に示されるように、擬似非アベイラビリティ期間２２０は、少なくとも非アベイラビリティ期間２２２の一部を含み、必要なら、スリープ・モード動作を出ずにおよび／または修正せずに、トラフィックを送受信する加入者局１１６によって利用されてもよい。
【００２０】
図２に示される１またはそれ以上の実施例において、擬似非アベイラビリティ期間２２０は、非アベイラビリティ期間２２２の一部からなる。このように、１またはそれ以上の実施例では、ＰＵＡＩ２２０およびＵＡＩ２２２の合算期間はＰＵＡＩ２２０が不存在の状態で存在する単一の非アベイラビリティ期間の間隔からなっていてもよく、それは既に議論されたように非アベイラビリティ期間の間隔を計算するための例えば上記数式（１）によって決定されてもよい。加入者局１１６がスリープ・モード中である間、ＰＵＡＩ２２０のような擬似非アベイラビリティ期間中に、基地局１１４は、加入者局１１６にトラフィックを送ることができ、および／または、加入者局１１６は、基地局１１４へトラフィックを送ってもよい。１またはそれ以上の実施例では、基地局１１４は、擬似非アベイラビリティ期間の使用および／または擬似非アベイラビリティ期間の間隔を適宜指定することができる。基地局１１４がどのようにそのような擬似非アベイラビリティ期間を指定するかの１つの例が表１に示される。
【００２１】
【表１】
2010521129.tif 000003
【００２２】
表１に示されるように、ＰＵＡＩメッセージは、擬似非アベイラビリティ期間の存在または不存在を通知する１ビットのＰＵＡＩフラグを含む。ＰＵＡＩフラグがＰＵＡＩの存在を示して肯定的な場合、ＰＵＡＩメッセージは、擬似非アベイラビリティ期間の長さ、例えばＰＵＡＩ長を通知する。擬似非アベイラビリティ期間が指定される場合に、１またはそれ以上の下記技術は、次の非アベイラビリティ期間の間隔を決定するために利用される。
【００２３】
方法１：次のＵＡＩの間隔＝現在のＵＡＩの間隔。１またはそれ以上の実施例では、方法１は、例えばスリープ・モード中に追加のトラフィックが加入者局１１６へ送られることが期待される場合、非アベイラビリティ期間の間隔の増加を回避するかまたは最小限にするために利用される。
【００２４】
方法２：次のＵＡＩの間隔は、式（１）あるいはその変形式を使用して計算される。１またはそれ以上の実施例では、方法２は、加入者局１１６へあるいは加入者局１１６からの後続のトラフィックの可能性が一般に低く、および／または、そのトラフィックが厳しい遅延条件を有していない場合に利用される。さらに、１またはそれ以上の実施例では、方法２は、省電力を最大限に、または強めるために利用される。
【００２５】
方法３：次のＵＡＩの間隔＝現在のＵＡＩのＸ＊間隔、ここで０＜Ｘ＜１。１またはそれ以上の実施例では、方法３は、より多くのトラフィックが存在し、かつ加入者局１１６によって受け取られおよび／または送られると予想され、および／または、そのトラフィックが厳しい遅延条件を有している場合に利用される。そのような実施例では、次の非アベイラビリティ期間の間隔は、連続的に減少してもよく、また、次の擬似非アベイラビリティ期間の間隔は、連続的に増加してもよい。
【００２６】
方法４：現在のＵＡＩと次のＵＡＩの間隔との間の関係は、加入者局１１６によって送信され、および／または、送信されると期待され、あるいは、受け取られるトラフィックのタイプに少なくとも部分的に基づき、例えばトラヒック負荷および／またはトラフィックの遅延条件に基づく。
【００２７】
方法５：次のＵＡＩの間隔は、現在のＵＡＩの間隔に依存しない。１またはそれ以上の実施例では、方法５は、現在および／または期待されるトラフィック・パラーンに適している不定な間隔のＵＡＩを備えて、スリープ・モード動作を人為的にリセットするために利用される。方法５は、またスリープ・モード動作の最中に生じるトラフィック・パラーンの変化に適応するために利用される。例えば、スリープ・モードが開始すると、ＵＡＩ間隔のパラメータは、既存または期待される加入者局１１６のトラフィック・パラーンに基づいて定義される。トラフィック・パラーンが変わると、加入者局１１６は、ＵＡＩ間隔のパラメータを修正する。そのような変更は、新しいトラフィック・パラーンに適応するために、次のＵＡＩの間隔を選択することを含む。
【００２８】
１またはそれ以上の実施例において、擬似非アベイラビリティ期間に続く次の非アベイラビリティ期間の間隔を決めるために選択される方法は、加入者局１１６がスリープ・モードへ入る前のスリープ・モード開始中に基地局１１４と加入者局１１６と間で交渉される。あるいは、次の非アベイラビリティ期間の間隔を決定する方法は、上記表１に示されているようにＰＵＡＩメッセージの一部として基地局１１４と加入者局１１６との間で交換されてもよい。次の非アベイラビリティ期間の間隔に関連するこのような情報を交換するために、ＰＵＡＩメッセージが利用される場合に、そのようなＰＵＡＩメッセージのためのフォーマットが表２に示される。
【００２９】
【表２】
2010521129.tif 000004
【００３０】
１またはそれ以上の実施例において、ＰＵＡＩの使用後に、次のＵＡＩの間隔を決定するために利用される方法がスリープ開始時に基地局１１４と加入者局１１６との間で交渉される場合、メッセージ部、ＳＬＰ−ＲＥＱ、スリープ・サブヘッダ、および／または、スリープ拡張サブヘッダの、次のＵＡＩの間隔を指定するフォーマットは、表２中の該当箇所と同一か類似する。１またはそれ以上の実施例では、ＰＵＡＩ２２０の最大長は、現在のＵＡＩ２２２の長さである。このような場合では、ＰＵＡＩ２２０は、現在のＵＡＩ２２２の間隔を越えて拡張されない。したがって、このような実施例では、加入者局のスリープ・モード動作は、ＰＡＵＩの実行によって現在のＵＡＩ間隔の間に影響され、スリープ・モード動作は、現在のＵＡＩの終了後に通常のスリープ・モードに戻る。加入者局１１６が現在のＵＡＩ終了後に送るべきおよび／または受け取るべきトラフィックを依然として多く有している場合、１またはそれ以上の実施例では、基地局１１４および加入者局１１６は、次のＡＩの間に別のＰＵＡＩメッセージを交換し、次のＵＡＩの間にＰＵＡＩを使用し、トラフィック交換を継続する。多数の連続するＰＵＡＩを使用するこのようなプロセスは、加入者局１１６が送受信する後続のトラフィックを有しなくなるまで、継続する。このようなＰＵＡＩの使用は、基地局１１４あるいは加入者局１１６のいずれかによって適宜開始される。基地局１１４が加入者局１１６のためのダウンリンク・トラフィックを有している場合、基地局１１４は、１またはそれ以上のＰＵＡＩの利用を開始し、あるいは、加入者局１１６が基地局１１４へ送信するアップリンク・トラフィックを有している場合、加入者局１１６は、１またはそれ以上のＰＵＡＩの利用を開始する。このような構成において、基地局１１４および／または加入者局１１６がトラフィックの交換することを完了すると、加入者局１１６は、通常のスリープ・モード動作に自動的に戻る。したがって、このような実施例では、加入者局１１６が１またはそれ以上のＰＵＡＩによるトラフィックの交換中スリープ・モードに留まるので、スリープ・モードを終了し、次に再開始する必要はない。しかしながら、これらは、１またはそれ以上のＰＵＡＩを利用する構成の単なる一例であり、請求項に記載された主題の範囲は、これらの点に関して制限されることはない。
【００３１】
１またはそれ以上の実施例において、１またはそれ以上のＵＡＩを越えてＰＵＡＩを拡張する必要がある場合、複数のＡＩの間におけるＰＵＡＩメッセージの反復使用は、信号負荷を増大させる。したがって、１またはそれ以上の実施例では、ＰＵＡＩの長さは、次のＵＡＩの長さより長い。そのような実施例では、ＰＵＡＩは、１つのＵＡＩおよび／またはＡＩを超える間隔に及ぶ。このオプションが選択される場合、ＰＵＡＩメッセージは、スリープのサイクル数を指定するために使用され、それはスリープ・モード動作が保留されるＵＡＩおよび／またはＡＩ期間の数である。このように、ＡＩ期間とＵＡＩ期間との間を交互に変更する代わりに、スリープ・モードの間、加入者局１１６は、データおよび／または管理トラフィックを送受信することが可能な状態に留まる。一旦ＰＵＡＩのために予定されたＵＡＩ期間および／またはＡＩ期間の指定された回数が使い尽くされれば、加入者局１１６のスリープ・モード動作が自動的に再開する。その結果として、ＰＵＡＩの通知およびスリープの終了および開始を送信する信号のオーバーヘッドは、縮小されるかまたは除去される。あるケースでは、ＰＵＡＩ間隔は、次のＵＡＩより短いか等しい。別のケースでは、ＰＵＡＩ間隔は、次のＵＡＩの間隔によって制限されることはない。２つのケースに適応するＰＵＡＩフォーマットの一実施例が表３に示される。
【００３２】
【表３】
2010521129.tif 000005
【００３３】
表３は、２つのケースに適応する一実施例を示し、他の実施例では、他のＰＵＡＩフォーマットが次のＵＡＩ後のＰＵＡＩを拡張するために利用されてもよいが、しかしながら、請求項に記載された主題の範囲は、これらの点に関して制限されることはない。スリープ動作の再開に際して次のＵＡＩの間隔は、両ケースに対して上述のように方法１から方法５のいずれかの方法を使用して通知され、例えば、ＰＵＡＩが次のＵＡＩの間隔によって制限されている場合、および／または、ＰＵＡＩが次のＵＡＩの間隔よって制限されていない場合であり、請求項に記載された主題の範囲は、これらの点に関して制限されることはない。
【００３４】
１またはそれ以上の実施例では、ＰＵＡＩメッセージは、基地局１１４から加入者局１１６へのダウンリンク中で基地局１１４によって送信される。あるいは、ＰＵＡＩメッセージは、加入者局１１６から基地局１１４へのアップリンク中で加入者局１１６によって送信される。ダウンリンクでは、基地局１１４は、加入者局１１６がスリープ・モードである間、１またはそれ以上の次のメカニズムを利用して、ＰＵＡＩメッセージを加入者局１１６へ送信することができる。
【００３５】
ＭＯＢ＿ＴＲＦ−ＩＮＤメッセージ：  加入者局１１６がスリープ・モードにある間、基地局１１４は、加入者局１１６のＡＩ期間中にＭＯＢ＿ＴＲＦ−ＩＮＤメッセージを送る。基地局１１４は、そのＰＵＡＩメッセージをこのＭＯＢ＿ＴＲＦ−ＩＮＤメッセージの一部として送る。
【００３６】
ＰＵＡＩサブヘッダ：  基地局１１４は、ＰＵＡＩサブヘッダを使用して、ＰＵＡＩメッセージを他のメディア・アクセス制御（ＭＡＣ）メッセージに追加する。１またはそれ以上の実施例では、そのようなサブヘッダは、ＩＥＥＥ８０２．１６ｅ規格に準拠する。そのＰＵＡＩサブヘッダ方法は、例えば基地局１１４が加入者局へ送るための他のＭＡＣメッセージを有している場合、利用される。
【００３７】
個別のＭＡＣ管理メッセージ：  基地局１１４がＰＵＡＩメッセージを他のＭＡＣメッセージ上にＰＵＡＩサブヘッダとして載せる機会を有しない場合、基地局１１４は、個別のＭＡＣ管理メッセージとしてＰＵＡＩメッセージを適宜送る。
【００３８】
一般ＭＡＣヘッダ部分：  基地局１１４によって加入者局へ送られるＭＡＣメッセージは、典型的には一般ＭＡＣヘッダ（ＧＭＨ）を有する。ＧＭＨの一部、例えば、ＧＭＨ中の数ビットは、ＰＵＡＩメッセージを伝えるために基地局１１４によって適宜利用される。ＧＭＨの一部が利用されるので、１またはそれ以上の実施例では、ＰＵＡＩメッセージ全体は、この方法を使用して送られない。このような実施例では、より簡潔なＰＵＡＩメッセージ・フォーマットがこの目的のために定義される。例えば、ＧＭＨ中の１ビットは、特定のメッセージが加入者局にとって最後かどうかを示すために利用される。もしそのように通知する場合、加入者局１１６は、このビットで肯定的な通知を備えたメッセージを受け取った後スリープに戻る。
【００３９】
上記１またはそれ以上のダウンリンク・メカニズムの使用については、１またはそれ以上の実施例において、基地局１１４は下記方法を実行する。いくつかの加入者局１１６がスリープ・モードから同時にあるいはほとんど同時に起床する場合、基地局１１４は、通信と管理の信頼性を維持している間にオーバーヘッドが少数および／または単一のメッセージを備えるいくつかの加入者局１１６中で高度に償却される方法で、このような加入者局１１６の識別（ＩＤ）を単一のトラフィック通知メッセージ（ＴＲＦ＿ＩＮＤ）に挿入する。（サブヘッダ）加入者局１１６が現在既に起床しており、基地局１１４が加入者局の起床時間を延長したい場合、基地局１１４は、ＰＵＡＩサブヘッダ、個別ＭＡＣ管理メッセージ、および／または、上記されたような一般ＭＡＣヘッダのいずれか１つまたはそれ以上、あるいはそれらの組み合わせを実行する。
【００４０】
同様に、１またはそれ以上の実施例中では、加入者局１１６は、アップリンクに対してＰＵＡＩメッセージを基地局１１４に送るために次のメカニズムのいずれか１つまたはそれ以上を実行する。
【００４１】
ＰＵＡＩサブヘッダ：  加入者局１１６は、ＰＵＡＩサブヘッダを使用して、ＰＵＡＩメッセージを他のＭＡＣメッセージに追加する。加入者局１１６が基地局１１４へ送るための他のＭＡＣメッセージを有する場合、ＰＵＡＩサブヘッダが利用される。
【００４２】
個別のＭＡＣ管理メッセージ：  加入者局１１６がＰＵＡＩメッセージを他のＭＡＣメッセージ上に載せる機会を有しない場合、加入者局１１６は、個別のＭＡＣ管理メッセージとしてＰＵＡＩメッセージを適宜送る。
【００４３】
一般ＭＡＣヘッダ部分：  加入者局１１６によって基地局１１４へ送られるＭＡＣメッセージは、典型的には一般ＭＡＣヘッダ（ＧＭＨ）を有する。ＧＭＨ中の数ビットのようなＧＭＨの一部は、ＰＵＡＩメッセージを伝えるために加入者局１１６によって適宜利用される。１またはそれ以上の実施例では、ＰＵＡＩメッセージ全体は、この方法を用いて送られない。例えば、ＧＭＨ中の１ビットは、特定のメッセージが加入者局１１６にとって最後かどうかを示すために利用される。加入者局１１６は、このビットで肯定的な通知を備えたメッセージを受け取った後スリープに戻る。
【００４４】
ＰＵＡＩ情報を送信するための１またはそれ以上の上記ダウンリンクおよびアップリンク・メカニズムは、単なる例示的方法であり、他の方法が基地局１１４および／または加入者局１１６によって適宜利用され、ＰＵＡＩメッセージによって伝えられる情報のサブセットを伝えるためにＰＵＡＩメッセージおよび／またはより簡潔なフォーマットを伝えてもよい。このように、請求項に記載された主題の範囲は、これらの点に関して制限されることはない。
【００４５】
さて、図３を参照して、擬似非アベイラビリティ期間を経由して、基地局とスリープ・モード中の加入者局との間で情報を伝送するための方法のフローチャートが１またはそれ以上の実施例に従って議論される。図３は、方法３００のある特定の順序のブロックを描くが、しかしながら、ブロックの順序は、他の順序に変更されてもよく、また、方法３００は、図３中に示されるより多くあるいはより少ないブロックで構成されてもよく、さらに、請求項に記載された主題の範囲は、これらの点に関して制限されることはない。ブロック３１０で、データは、例えば基地局１１４から加入者局１１６へ、あるいは加入者局１１６から基地局１１４へ送信されるために利用可能となっている。すなわち、方法３００は、基地局１１４によって、あるいは加入者局１１６によって、単独であるいは組み合わせの中で実行される。送信されるべきデータを有する装置は送信装置と称され、送信されたデータを受信する装置は受信装置と称される。一旦データが送信および／または交換されるために利用可能となると、擬似非アベイラビリティ期間（ＰＵＡＩ）通知メッセージは、ブロック３１２で、スリープ・モード中の加入者局１１６のアベイラビリティ期間（ＡＩ）中に受信装置に送信される。ブロック３１２で送信されたＰＵＡＩ通知メッセージは、受信装置にデータを送信するために必要とされるＰＵＡＩの長さを通知し、およびブロック３１２で決定されるように次のＵＡＩの長さを決めるために用いられる方法も適宜通知する。例えば、ここに議論されるように、次のＵＡＩの長さは、ブロック３１４で決定され、また、データは、ブロック３１６で次のＵＡＩ中にＰＵＡＩによって送信される。ＰＵＡＩの終端で、送信されるべき追加のデータがあるか否かが、決定ブロック３１８で決定される。追加のデータが残っている場合、送信装置は、ブロック３１２で次のＡＩ中に追加のＰＵＡＩ通知メッセージを送ることにより、追加のデータを送信するために１またはそれ以上の追加のＰＵＡＩが使用されることを通知する。その後、方法３００は、送信されるべき残余のデータがなくなるまで継続し、そしてブロック３２０で加入者局１１６は通常のスリープ・モード動作に戻る。加入者局１１６は、より多くのデータを送信するために利用可能となるまでスリープ・モードに留まり、送信されるべき点で方法３００は追加のデータを送信するためにブロック３１０から開始する。
【００４６】
さて、図４を参照して、擬似非アベイラビリティ期間により、基地局とスリープ・モード中の加入者局との間で情報を伝送するための方法のフローチャートが１またはそれ以上の実施例に従って議論されるが、ここにおいて擬似非アベイラビリティ期間は送信されるべき大量のデータに適応するために次の非アベイラビリティ期間より長い。
【００４７】
図４は、方法４００のある特定の順序のブロックを描くが、しかしながら、ブロックの順序は、他の順序に変更されてもよく、また、方法４００は、図４中に示されるより多くあるいはより少ないブロックで構成されてもよく、さらに、請求項に記載された主題の範囲は、これらの点に関して制限されることはない。ブロック４１０で、データは、例えば基地局１１４から加入者局１１６へ、あるいは加入者局１１６から基地局１１４へ送信されるために利用可能となっている。すなわち、方法４００は、基地局１１４によって、あるいは加入者局１１６によって、単独であるいは組み合わせの中で実行される。送信されるべきデータを有する装置は送信装置と称され、送信されたデータを受信する装置は受信装置と称される。ブロック４１０でデータが送信可能となった場合、次のＵＡＩの長さは、例えばここに記述された方法の１またはそれ以上を使用して、ブロック４１２で決定される。送信されるべきデータの送信に必要とされるＰＵＡＩの長さが次のＵＡＩの長さより大きいかどうかの決定が決定ブロック４１４でなされる。必要とされるＰＵＡＩが次のＵＡＩより大きい場合、必要とされるＰＵＡＩを実行するために要求されるスリープ・サイクルの回数、すなわち反復されるＡＩおよびＵＡＩ期間の回数の決定がブロック４１６でなされる。どのような場合も、ＰＵＡＩ通知メッセージは、ブロック４１８で次のＡＩ中に送信される。ブロック４１８で送信されるＰＵＡＩ通知メッセージは、受信装置に、スリープ・モードの次の非アベイラビリティ期間（ＵＡＩ）中に情報を送信する意図を示す。ブロック４１８で送信されたＰＵＡＩ通知メッセージは、また受信装置にデータを送信するために必要とされるＰＵＡＩの長さを通知するとともに、さらにブロック４１２で決定されたような次のＵＡＩの長さを決定するために使用される方法を適宜通知する。さらに、ブロック４１６が実行されると、その後ＰＵＡＩ通知は、さらにＰＵＡＩに適応するために必要とされるスリープ・モード周期の回数を通知する。その後、すべてのデータが送られるまで、および／または、ＰＵＡＩの終端に到達するまで、ブロック４２０で、送信されるべきデータは、ＰＵＡＩによって次のＵＡＩ中に送信される。その後、ブロック４２２で、加入者局１１６は、通常のスリープ・モード動作に戻り、それは自動的に生じるが、追加のデータが送信可能となるまで、スリープ・モード動作に留まり、送信可能時点で方法４００はブロック４１０から継続する。
【００４８】
さて、図５を参照して、１またはそれ以上の実施例に従って、ワイヤレス・ネットワーク中のスリープ・モード動作を最適化することができる情報処理システムのブロック図が議論される。図５の情報処理システム５００は、図１に示され、かつ図１に関して説明されたように、ネットワーク１００のネットワーク要素の１またはそれ以上のいずれかを具体的に実施する。例えば、情報処理システム５００は、特定の装置またはネットワーク要素のハードウェア仕様に依存して、より多くのまたはより少ないコンポーネントを具備する基地局１１４および／または加入者局１１６のハードウェアを表わす。さらに、そのような情報処理システム５００は、図２、図３および／または図４のタイミングおよび／またはフローチャートを実行するために配置され、それは、記憶媒体上に格納され、かつ情報処理システム５００および／または同じタイプの演算プラットフォームによって実行することができる命令として具体化される。情報処理システム５００は、いくつかのタイプの演算プラットフォームの一例を表わすが、情報処理システム５００は、より多くのまたはより少ない要素、および／または、図５に示されものとは異なる要素の配置を含むが、請求項に記載された主題の範囲は、これらの点に関して制限されることはない。
【００４９】
情報処理システム５００は、プロセッサ５１０および／またはプロセッサ５１２のような１またはそれ以上のプロセッサを含み、それは１またはそれ以上の処理コアを含む。プロセッサ５１０および／またはプロセッサ５１２の１またはそれ以上は、メモリ・ブリッジ５１４によって、１またはそれ以上のメモリ５１６および／または５１８に結合され、それは、プロセッサ５１０および／または５１２の外部に配置されてもよく、あるいは１またはそれ以上のプロセッサ５１０および／または５１２内に少なくとも部分的に配置されてもよい。メモリ５１６および／またはメモリ５１８は、様々なタイプの半導体に基づくメモリを含み、例えば、揮発性タイプのメモリおよび／または不揮発性タイプのメモリを含む。メモリ・ブリッジ５１４は、情報処理システム５００に結合されるディスプレイ装置（図示せず）を駆動するために、グラフィックス・システム５２０に結合する。
【００５０】
情報処理システム５００は、さらに様々なタイプのＩ／Ｏシステムへ結合するための入出力（Ｉ／Ｏ）ブリッジ５２２を含む。Ｉ／Ｏシステム５２４は、例えば、ユニバーサル・シリアル・バス（ＵＳＢ）タイプのシステム、ＩＥＥＥ１３９４タイプのシステム、または同種のシステムを含み、１またはそれ以上の周辺機器を情報処理システム５００に結合する。バス・システム５２６は、周辺部品相互接続（ＰＣＩ）エキスプレス・タイプのバスまたは同種のバスのような１またはそれ以上のバス・システムを含み、１またはそれ以上の周辺機器を情報処理システム５００に接続することができる。ハードディスク・ドライブ（ＨＤＤ）制御システム５２８は、１またはそれ以上のハードディスク・ドライブまたは同種のドライブを情報処理システムに結合し、例えば、シリアルＡＴＡタイプのドライバ、または同種のドライバ、あるいは他に、フラッシュ・メモリ、相変化、あるいはカルコゲニド（chalcogenide）から成るタイプのメモリあるいは同種メモリを含む半導体ベースのドライブを含む。スイッチ５３０は、１またはそれ以上のスイッチ装置をＩ／Ｏブリッジ５２２、例えばギガビット・イーサネット（登録商標）・タイプの装置あるいは同種の装置に結合するために利用される。さらに、図５に示されるように、情報処理システム５００は、他のワイヤレス通信装置および／または図１のネットワーク１００のようなワイヤレス・ネットワークを経由してワイヤレス通信するためのＲＦ回路および装置からなる無線周波数（ＲＦ）ブロック５３２を含み、例えば、情報処理システム５００は、基地局１１４および／または加入者局１１６を実施化するが、請求項に記載された主題の範囲は、これらの点に関して制限されることはない。
【００５１】
請求項に記載された主題は、ある程度の特定性をもって記述されたが、その要素は、請求項に記載された主題の思想および／または範囲から逸脱せずに、当業者によって変更できることを認識すべきである。本主題は、ワイヤレス・ネットワークおよび／または多くのその付随する設備中のモバイル装置のためのスリープの最適化に関するが、上述の記述によって理解されると考えられる。また、様々な変更が請求項に記載された主題の範囲および／または思想を逸脱せずに、またその実体上の効果をすべて犠牲にすることなく、そのコンポーネントの形式、構成および／または配置においてなされることは明白であろう。請求項はそのような変更を包含しおよび／または含むことを意図するものである。
【図１】
2010521129.tif 000006
【図２】
2010521129.tif 000007
【図３】
2010521129.tif 000008
【図４】
2010521129.tif 000009
【図５】
2010521129.tif 000010
【国際調査報告】
2010521129.tif 000011
2010521129.tif 000012